(57)【要約】【課題】  複数の部品を固定する際にゴミの発生を抑止する。【解決手段】    両面が接着面である基材と、基材の各々の接着面に、剥離可能に貼り付けられた剥離紙とを有し、剥離紙の少なくとも一方には、剥離紙の一部であって、基材の接着面に貼り付けられない一部に、剥離紙の上面から下面に至る切り込み線が刻入され、剥離紙には、切り込み線の端部間で支持されて、押し下げられることの可能な位置合わせ部が画定されている両面接着テープが提供される。【選択図】  図１
2013181120.tif 000002
【特許請求の範囲】
【請求項１】
両面が接着面である基材と、
前記基材の各々の接着面に、剥離可能に貼り付けられた剥離紙と
を有し、
前記剥離紙の少なくとも一方には、該剥離紙の一部であって、前記基材の接着面に貼り付けられない一部に、該剥離紙の上面から下面に至る切り込み線が刻入され、該剥離紙には、該切り込み線の端部間で支持されて、押し下げられることの可能な位置合わせ部が画定されている両面接着テープ。
【請求項２】
前記位置合わせ部は、  
該両面接着テープの貼付対象に設けられた位置合わせ用部材が挿入されて位置合わせが行われる位置決め部と、
前記位置決め部と前記切り込み線の端部間に画定され、前記位置決め部を前記剥離紙に繋ぎ止める係止部と
を含み、
前記係止部の長さが１ｍｍ〜２ｍｍである請求項１に記載の両面接着テープ。
【請求項３】
前記位置決め部のサイズは、前記位置合わせ用部材のサイズよりも、０．２ｍｍ以下の範囲で大きい請求項２に記載の両面接着テープ。
【請求項４】
前記剥離紙には、前記位置合わせ部が複数画定され、前記複数の位置合わせ部の位置決め部の中心を結んでできる多角形の内側に向けて、前記位置合わせ部の各々の係止部が形成されている請求項２または３に記載の両面接着テープ。
【発明の詳細な説明】
【技術分野】
【０００１】
本発明は、たとえば部品の組み立てに使用される両面接着テープに関する。
【背景技術】
【０００２】
両面が接着面である基材部と、基材部の両接着面に各々貼り付けられた剥離紙とを有し、剥離紙の一部が、基材部を部品の配置に対応した位置関係で互いに連結するタブ部となっていることを特徴とする両面接着テープの発明が開示されている（たとえば、特許文献１参照）。特許文献１記載の両面接着テープは、剥離紙の一部がタブ部となっているため、部品の貼り付け工程、剥離紙の取り外し工程における作業を容易にすることができる。
【０００３】
両面接着膜と、その両面に貼付された剥離膜の３層からなり、剥離膜の大きさを両面接着膜より大きく定めて剥離代を形成するとともに、両面接着膜の区画内部に抜き窓を開口したことを特徴とする両面接着テープの発明も公知である（たとえば、特許文献２参照）。剥離代の存在により剥離膜の剥離工程を効率よく行うことができる。
【０００４】
特許文献１記載の両面接着テープにおける剥離紙には貼り付け位置合わせ穴、特許文献２記載の両面接着テープの剥離膜には、位置決め用ピン穴が形成されている。これらの位置決め用の穴は、たとえば複数の部品を組み立て固定する際の位置合わせに使用される。しかしながら両面接着テープの剥離紙（剥離膜）に位置決め用の穴を開けようとすると、抜き片が残ったり両面接着テープの粘着面に付着し、部品組み立て時にゴミとなる、または組み立てに不具合を生じさせる場合がある。
【先行技術文献】
【特許文献】
【０００５】
【特許文献１】特開２００８−３０８６４８号公報
【特許文献２】特開昭６０−１２７３７９号公報
【発明の概要】
【発明が解決しようとする課題】
【０００６】
本発明の目的は、たとえば複数の部品を固定する際にゴミの発生を抑止することのできる両面接着テープを提供することである。
【課題を解決するための手段】
【０００７】
本発明の一観点によると、両面が接着面である基材と、前記基材の各々の接着面に、剥離可能に貼り付けられた剥離紙とを有し、前記剥離紙の少なくとも一方には、該剥離紙の一部であって、前記基材の接着面に貼り付けられない一部に、該剥離紙の上面から下面に至る切り込み線が刻入され、該剥離紙には、該切り込み線の端部間で支持されて、押し下げられることの可能な位置合わせ部が画定されている両面接着テープが提供される。
【発明の効果】
【０００８】
本発明によれば、たとえば複数の部品を固定する際にゴミの発生を抑止することの可能な両面接着テープを提供することができる。
【図面の簡単な説明】
【０００９】
【図１】図１Ａ〜図１Ｅは、実施例による両面接着テープを示す概略図である。
【図２】図２Ａ及び図２Ｂは、位置決め用ボス１４ａの位置決め部１２ａへの挿入態様の例を示す概略的な平面図である。
【図３】図３は、係止部１２ｂの形成される向きを示す概略的な平面図である。
【発明を実施するための形態】
【００１０】
図１Ａ〜図１Ｅは、実施例による両面接着テープを示す概略図である。図１Ａに示すように、実施例による両面接着テープは、基材１０及び剥離紙１１、１２を含む。基材１０の両表面１０ａ、１０ｂには接着層が形成されており、表面１０ａ、１０ｂはそれぞれ接着面となっている。一方の接着面１０ａに剥離紙１１が剥離可能に貼り付けられ、他方の接着面１０ｂに剥離紙１２が剥離可能に貼り付けられている。剥離紙１２の一部に、剥離紙１２の上面から下面に至る切り込み線（カット線）１３が刻入されている。刻入された切り込み線１３によって、剥離紙１２に位置決め部１２ａ及び係止部１２ｂが画定される。
【００１１】
図１Ｂを参照して、実施例による両面接着テープの使用態様の一例を説明する。本図には、たとえば剥離紙１１を基材１０から剥離し、基材１０の接着面１０ａを、フレーム１４（両面接着テープの貼付対象）と接着させる使用態様を示した。フレーム１４は、たとえば液晶モジュールのフレームであり、フレーム内側には液晶表示素子が配置されている。フレーム１４には、複数、たとえば４個の位置決め用ボス１４ａが設けられている。位置決め用ボス１４ａは、たとえばフレーム１４から突出する直径３ｍｍの円筒形の凸部形状を有する位置合わせ用部材である。フレーム１４と、両面接着テープの基材１０（接着面１０ａ）とを接着するに当たっては、フレーム１４の位置決め用ボス１４ａと、切り込み線１３によって剥離紙１２に画定された位置決め部１２ａとで位置合わせを行う。具体的には、各位置決め用ボス１４ａを、対応する位置決め部１２ａに挿入することで、フレーム１４と両面接着テープ（基材１０）とを位置合わせする。このように剥離紙１２に形成された位置決め部１２ａは、両面接着テープの基材１０を、他部材に貼付する際の位置合わせに用いられる。位置合わせを行うことによって、両面接着テープの貼付位置の精度が高められる。
【００１２】
図１Ｃに、剥離紙１１を基材１０から剥離した状態の両面接着テープの平面図を示す。剥離紙１２上の４箇所に切り込み線１３が刻入され、それぞれの刻入位置に、位置決め部１２ａと係止部１２ｂとが画定される。各係止部１２ｂは、剥離紙１２の内側領域に向かってのびている。切り込み線１３は、基材１０が配置されない（接着面１０ｂに貼り付けられない）剥離紙１２上の位置に刻入される。
【００１３】
図１Ｄは、剥離紙１１を基材１０から剥離した状態の両面接着テープを示す、図１Ｃに対応する側面図である。基材１０は、剥離紙１２上の一部に配置されている。
【００１４】
図１Ｅに、実施例による両面接着テープにおける切り込み線１３の刻入態様を示す。切り込み線１３は、直径３．６ｍｍの円の円周に沿って、その一部を除く位置に刻入される。切り込み線１３が刻入されない円周部分を、円の半径方向（中心方向）に垂直投影したときに得られる像（線分）の長さは１．２ｍｍである。直径３．６ｍｍの円の円周に沿って刻入される切り込み線１３の内側領域に位置決め部１２ａが画定される。
【００１５】
切り込み線１３は、また、切り込み線１３が刻入された円周部分の両端から、その中点を基準としたときに中心方向と反対の方向へ、相互に等しい長さの平行な直線状に剥離紙１２に刻入される。切り込み線１３の直線部分の長さは、２本の直線部分の、円の中心から離れた端部の中点と、円の中心との間の距離が３ｍｍとなる長さである。２本の直線部分は１．２ｍｍの間隔で平行に刻入され、２本の直線部分の間の領域に係止部１２ｂが画定される。係止部１２ｂの長さ（図の左右方向の長さ）は約１．２ｍｍ、幅（図の上下方向の長さ）は１．２ｍｍである。係止部１２ｂは、位置決め部１２ａが剥離紙１２から分離しない（切り離されない）ように、位置決め部１２ａを剥離紙１２に繋ぎ止める機能を有する。すなわち位置決め部１２ａは、係止部１２ｂによって、剥離紙１２に係止される。なお、たとえば２本の直線部分の、円の中心から離れた端部を結ぶ線分を、係止部と考えることもできる。一般に、剥離紙１２に、「８」の字のように交差したり「６」の字のように衝突したり（ぶつかったり）せず、それによって剥離紙１２が切り落とされない（剥離紙１２の一部を分離させない）切り込み線１３が刻入され、たとえば切り込み線１３の端点間の剥離紙１２の部分で、切り込み線１３によって画定される位置決め部が、剥離紙１２に繋ぎ止められているとき、その部分を係止部と考えることが可能である。
【００１６】
このように考えると、たとえば剥離紙１２には、切り込み線１３の端部（端点）間、たとえば図１Ｅにおいては、係止部１２ｂの右端に配置される２つの端点間で支持されて、一例として位置決め用ボス１４ａによって、押し下げられることの可能な位置合わせ部（実施例においては位置決め部１２ａ及び係止部１２ｂ）が画定されているということができるであろう。実施例の位置合わせ部においては、係止部１２ｂが、位置決め部１２ａと切り込み線１３の端部間に画定される。
【００１７】
実施例による両面接着テープにおいては、直径３．６ｍｍの円の円周に沿って、その一部を除く位置に刻入された切り込み線１３の内部領域に位置決め部１２ａが画定される。また、両面接着テープの貼付対象である、フレーム１４の位置決め用ボス１４ａは、直径３ｍｍの円筒形の凸部である。このように、位置決め部１２ａのサイズを、位置決め用ボス１４ａのサイズよりも大きくすることが望ましい。実施例のように、位置決め部１２ａも位置決め用ボス１４ａの平面形状も円形に基いて形成されている場合は、前者の径を後者の径より大きくすることが望ましい。たとえば、位置決め部１２ａの径を位置決め用ボス１４ａの径よりも小さくすると、係止部１２ｂを起点として剥離紙１２に破れが生じ、貼り位置にずれが生じる場合がある。このずれは係止部１２ｂ方向に生じる。
【００１８】
位置決め部１２ａの直径は、位置公差を考慮し、位置決め用ボス１４ａ直径よりも、０．２ｍｍ以下の範囲で大きくすることが好ましい。この範囲であれば、剥離紙１２に破れを生じさせることなく、正確な位置合わせが可能となる。
【００１９】
図２Ａ及び図２Ｂは、位置決め用ボス１４ａの位置決め部１２ａへの挿入態様の例を示す概略的な平面図である。
【００２０】
図２Ａには、４つの略円形位置決め部１２ａの内側接点を利用し、位置決め用ボス１４ａを位置決め部１２ａと、剥離紙１２中央方向で内接させて、フレーム１４と両面接着テープとの位置合わせをする例を示した。また、図２Ｂには、４つの略円形位置決め部１２ａの外側接点を利用し、位置決め用ボス１４ａを位置決め部１２ａと、剥離紙１２外周方向で内接させて、両者を位置合わせする例を示した。このように複数の位置決め部１２ａの内側または外側接点を利用し、それらの３点以上を支持することで位置合わせを行う場合は、位置決め部１２ａの直径の、位置決め用ボス１４ａ直径に対する大きさの範囲に、たとえば０．２ｍｍ以下の範囲といった上限はない。
【００２１】
図３は、係止部１２ｂの形成される向きを示す概略的な平面図である。たとえば位置決め部１２ａが剥離紙１２の外周近傍に形成される場合には、係止部１２ｂを剥離紙１２の外周方向に向けて形成すると、剥離紙１２が破損しやすくなる。そこで、たとえば位置決め部１２ａを剥離紙１２の外周近傍に形成する場合には、位置決め部１２ａの中心を結んでできる多角形の内側に向けて係止部１２ｂを形成することが好ましい。この場合たとえば位置決め部１２ａは、同多角形の内側につながり部分をもつことになる。
【００２２】
実施例による両面接着テープは、特許文献１及び２に記載のある両面接着テープのように、剥離紙に位置決め用の穴が開けられていない。たとえば従来であれば、位置決め用の穴とされていた部分の一部をつないで（位置決め用の穴を開けるために切り込みを刻入していた線上の一部には切り込みを刻入しないで）穴とはせず、係止部１２ａを介して剥離紙１２に係止される位置決め部１２ａとして、両面接着テープをフレーム１４に貼り付ける際の位置合わせに使用する。剥離紙１２に位置決め用の穴を形成しないため、位置合わせ精度を損なうことなく、貼り付け時のゴミの発生、及び、それによる貼り付け等の不具合を抑止することができる。
【００２３】
なお実施例においては、係止部１２ｂの長さを１．２ｍｍとした。係止部１２ｂの長さが長いと、位置決め前に位置決め部１２ａが剥離紙１２から分離しやすい。また、係止部１２ｂの長さが短いと、位置決め後に係止部１２ｂが切れやすい。いずれの場合も、位置決め部１２ａの脱落が生じやすいため、実施例のように係止部１２ｂを形成する場合、剥離紙１２の強度にもよるが、係止部１２ｂの長さを１〜２ｍｍとすることが好ましいであろう。
【００２４】
以上実施例に沿って本発明を説明したが、本発明はこれらに制限されるものではない。
【００２５】
たとえば、実施例においては、剥離紙１２にのみ位置決め部１２ａ及び係止部１２ｂを形成したが、位置決め部１２ａ及び係止部１２ｂは、剥離紙１１、１２の少なくとも一方に形成されていればよい。
【００２６】
その他、種々の変更、改良、組み合わせ等が可能なことは当業者に自明であろう。
【産業上の利用可能性】
【００２７】
たとえば、複数の部品を固定する際に使用することができる。
【符号の説明】
【００２８】
１０  基材
１０ａ、１０ｂ  接着面
１１、１２  剥離紙
１２ａ  位置決め部
１２ｂ  係止部
１３  切り込み線（カット線）
１４  フレーム
１４ａ  位置決め用ボス
【図１】
2013181120.tif 000003
【図２】
2013181120.tif 000004
【図３】
2013181120.tif 000005